(57)【要約】【課題】ビデオ装置の電源がＯＮにされたとき、ビデオ装置とテレビ装置との接続ケーブルの接続状態を判別して、ビデオ装置の映像音声信号の出力を接続ケーブルが接続された、ライン信号の映像音声信号を出力する映像／音声出力端子からの出力、或いはＲＦ信号の映像音声信号を出力するＲＦ出力端子からの出力に自動的に切り換えることができるようにする。【解決手段】ビデオ装置の電源がＯＮにされたとき、映像出力端子に映像信号を出力して、映像出力端子からの映像信号の入力の有無を検出して、映像／音声出力端子に接続ケーブルが接続されているか否かを判別し、映像／音声出力端子に接続ケーブルが接続されている場合、ＲＦコンバータをＯＦＦにして、ライン信号の映像音声信号出力に切り換え、映像／音声出力端子に接続ケーブルが接続されていない場合、ＲＦコンバータをＯＮにして、ＲＦ信号の映像音声信号出力に切り換えるようにする。【選択図】　　　　図１
0003097218.tif 000002
【実用新案登録請求の範囲】
【請求項１】
ＲＦコンバータを介して所定のテレビ放送チャンネルのＲＦ信号の映像音声信号を出力するＲＦ出力端子とライン信号の映像音声信号を出力する映像／音声出力端子とを備えたビデオ装置であって、ビデオ装置の電源がＯＮにされたとき、前記映像／音声出力端子の映像出力端子に映像信号を出力して、該映像出力端子からの映像信号の入力の有無を検出する検出手段と、前記検出手段の検出結果に基づいて、前記映像／音声出力端子に接続ケーブルが接続されているか否かを判別する判別手段と、前記判別手段により前記映像／音声出力端子に接続ケーブルが接続されていると判別された場合、前記ＲＦコンバータをＯＦＦにして、ライン信号の映像音声信号の出力に切り換え、前記判別手段により前記映像／音声出力端子に接続ケーブルが接続されていないと判別された場合、前記ＲＦコンバータをＯＮにして、ＲＦ信号の映像音声信号の出力に切り換える切換手段とを備えたことを特徴とするビデオ装置。
【請求項２】
ＲＦコンバータを介して所定のテレビ放送チャンネルのＲＦ信号の映像音声信号を出力するＲＦ出力端子とライン信号の映像音声信号を出力する映像／音声出力端子とを備えたビデオ装置であって、ビデオ装置の電源がＯＮにされたとき、前記映像／音声出力端子の映像出力端子に映像信号を出力して、該映像出力端子からの映像信号の入力の有無を検出する検出手段と、前記検出手段の検出結果に基づいて、前記映像／音声出力端子に接続ケーブルが接続されているか否かを判別する判別手段と、前記判別手段の判別結果に基づいて、ライン信号の映像音声信号の出力とＲＦ信号の映像音声信号の出力とを切り換える切換手段とを備えたことを特徴とするビデオ装置。
【請求項３】
前記切換手段は、前記判別手段により前記映像／音声出力端子に接続ケーブルが接続されていると判別された場合、前記ＲＦコンバータをＯＦＦにして、ライン信号の映像音声信号の出力に切り換える切換手段であることを特徴とする請求項２記載のビデオ装置。
【請求項４】
前記切換手段は、前記判別手段により前記映像／音声出力端子に接続ケーブルが接続されていないと判別された場合、前記ＲＦコンバータをＯＮにして、ＲＦ信号の映像音声信号の出力に切り換える切換手段であることを特徴とする請求項２記載のビデオ装置。
【考案の詳細な説明】
【０００１】
【考案の属する技術分野】本考案は、磁気テープに映像音声信号を記録再生するビデオ装置に係り、特に映像音声信号を所定のテレビ放送チャンネルのＲＦ（Ｒａｄｉｏ　Ｆｒｅｑｕｅｎｃｙ）信号に変換して出力するＲＦコンバータ出力機能を有するビデオ装置に関する。
【０００２】
【従来の技術】ＲＦコンバータ出力機能を有するビデオ装置は、テレビ装置との接続方法が予め設定されていて、ビデオ装置の電源がＯＮにされたとき、予め設定された出力端子から映像音声信号が出力されるようになっている。そのため、映像音声信号がＲＦコンバータを介して出力されるように予め設定されたビデオ装置の映像／音声出力端子とテレビ装置の映像／音声入力端子とが接続ケーブルにより接続されている場合、ビデオ装置の電源をＯＮにする度に、ユーザは映像音声出力をＲＦ信号の映像音声信号を出力するＲＦ出力端子出力からライン信号を出力する映像／音声出力端子出力に切り換えなければならないという問題点があった。また、映像音声信号が映像／音声出力端子から出力されるように予め設定されたビデオ装置のＲＦ出力端子とテレビ装置のアンテナ入力端子とが接続ケーブルにより接続されている場合、上記同様に、ビデオ装置の電源をＯＮにする度に、ユーザは映像音声出力を映像／音声出力端子出力からＲＦ出力端子出力に切り換えなければならないという問題点があった。
【０００３】従来の技術としては、第１キー入力端子に接続された複数の既存キーのうちの特定の１個のキーと、第２キー入力端子に接続された複数の既存キーのうちの特定の１個のキーとが同時に押されたとき、ＲＦ出力チャンネルをその時点で設定されているチャンネルから他方のチャンネルに切り換えるようにしたものがあった（例えば、特許文献１参照）。
【０００４】また、映像出力を受像機に同調させて映像の再生を行うための基本映像を作成して、ＲＦコンバータを介して受像機に基本映像を出力し、受像機を用いての基本映像による最初の調整を終了することによってフラグを反転し、フラグが反転していない場合にのみ、基本映像を作成するように指示し、フラグが反転していない場合にのみ、作成された基本映像を受像機に出力するようにしたものがあった（例えば、特許文献２参照）。
【０００５】
【特許文献１】実登３０８８１５８号公報
【特許文献２】特開平６−２５３２２０公報
【０００６】
【考案が解決しようとする課題】しかしながら、従来の技術で述べたもののうち前者においては、第１キー入力端子に接続された複数の既存キーのうちの特定の１個のキーと、第２キー入力端子に接続された複数の既存キーのうちの特定の１個のキーとが同時に押されたとき、ＲＦ出力チャンネルをその時点で設定されているチャンネルから他方のチャンネルに切り換えることができたが、ビデオ装置とテレビ装置との接続ケーブルの接続状態を判別して、ビデオ装置の映像音声信号の出力を接続ケーブルが接続された、ライン信号の映像音声信号を出力する映像／音声出力端子からの出力、或いはＲＦ信号の映像音声信号を出力するＲＦ出力端子からの出力に自動的に切り換えるようにしたものではなかった。
【０００７】また、後者においては、映像出力を受像機に同調させて映像の再生を行うための基本映像を作成して、ＲＦコンバータを介して受像機に基本映像を出力し、受像機を用いての基本映像による最初の調整を終了することによってフラグを反転し、フラグが反転していない場合にのみ、基本映像を作成するように指示し、フラグが反転していない場合にのみ、作成された基本映像を受像機に出力することができたが、上記同様、ビデオ装置とテレビ装置との接続ケーブルの接続状態を判別して、ビデオ装置の映像音声信号の出力を接続ケーブルが接続された、ライン信号の映像音声信号を出力する映像／音声出力端子からの出力、或いはＲＦ信号の映像音声信号を出力するＲＦ出力端子からの出力に自動的に切り換えるようにしたものではなかった。
【０００８】本考案は、従来の技術の有するこのような問題点に鑑みてなされたものであり、その目的とするところは、ビデオ装置の電源がＯＮにされたとき、ビデオ装置とテレビ装置との接続ケーブルの接続状態を判別して、ビデオ装置の映像音声信号の出力を接続ケーブルが接続された、ライン信号の映像音声信号を出力する映像／音声出力端子からの出力、或いはＲＦ信号の映像音声信号を出力するＲＦ出力端子からの出力に自動的に切り換えることができるビデオ装置を提供しようとするものである。
【０００９】
【課題を解決するための手段】上記目的を達成するために、本考案におけるビデオ装置は、ＲＦコンバータを介して所定のテレビ放送チャンネルのＲＦ信号の映像音声信号を出力するＲＦ出力端子とライン信号の映像音声信号を出力する映像／音声出力端子とを備えたビデオ装置であって、ビデオ装置の電源がＯＮにされたとき、前記映像／音声出力端子の映像出力端子に映像信号を出力して、該映像出力端子からの映像信号の入力の有無を検出する検出手段と、前記検出手段の検出結果に基づいて、前記映像／音声出力端子に接続ケーブルが接続されているか否かを判別する判別手段と、前記判別手段の判別結果に基づいて、ライン信号の映像音声信号の出力とＲＦ信号の映像音声信号の出力とを切り換える切換手段とを備える。
【００１０】前記切換手段は、前記判別手段により前記映像／音声出力端子に接続ケーブルが接続されていると判別された場合、前記ＲＦコンバータをＯＦＦにして、ライン信号の映像音声信号の出力に切り換えるようにする。
【００１１】また、前記切換手段は、前記判別手段により前記映像／音声出力端子に接続ケーブルが接続されていないと判別された場合、前記ＲＦコンバータをＯＮにして、ＲＦ信号の映像音声信号の出力に切り換えるようにする。
【００１２】上記のように構成することにより、ビデオ装置の電源がＯＮにされたとき、ビデオ装置とテレビ装置との接続ケーブルの接続状態を判別して、ビデオ装置の映像音声信号の出力を接続ケーブルが接続された、ライン信号の映像音声信号を出力する映像／音声出力端子からの出力、或いはＲＦ信号の映像音声信号を出力するＲＦ出力端子からの出力に自動的に切り換えることができる。
【００１３】
【考案の実施の形態】以下、適宜図面を参照しながら本考案の実施の形態を詳述する。図１は本考案の実施の形態に係るビデオ装置の構成を示すブロック図であり、図２は本考案の実施の形態に係るビデオ装置とテレビ装置との接続状態を示す説明図であり、図３は本考案の実施の形態に係るビデオ装置の映像信号を示す図であり、図４は本考案の実施の形態に係るビデオ装置の動作を示すフローチャートである。
【００１４】まず、図１は本考案の実施の形態に係るビデオ装置の構成を示すブロック図を基に説明する。
【００１５】ビデオ装置１０は、アンテナ１９により受信された電波から選択されたチャンネルの映像音声信号を受信するチューナ１１と、チューナ１１により受信された映像音声信号を検波して増幅する検波増幅回路１２と、磁気テープに映像音声信号を記録再生する記録再生部１３と、映像信号の出力を切り換える切換スイッチ１４と、映像音声信号を所定のテレビ放送チャンネルのＲＦ信号に変換して、ＲＦ出力端子Ｔ１にＲＦ信号の映像音声信号を出力するＲＦコンバータ１５と、ライン信号の映像信号を出力する映像出力端子Ｔ２からの映像信号の入力の有無を検出する検出回路１６と、ビデオ装置１０のシステム全体を制御するマイコン１７と、リモコン装置２０から送信された赤外線信号のリモコン信号を受信して、所定の電気信号に変換するリモコン受信部１８とで構成されている。なお、ビデオ装置１０は、ライン信号の音声信号を出力する左右チャンネルの音声出力端子と、切換スイッチ１４に連動して左右チャンネルの音声信号の出力を切り換える切換スイッチとを有しているがいずれも図示省略している。
【００１６】以上のように構成されたビデオ装置について、以下その動作について説明する。
【００１７】ビデオ装置１０の電源がＯＮにされると、マイコン１７は、切換スイッチ１４をライン信号の映像信号を出力する映像出力端子側ａに切り換えて、映像出力端子Ｔ２に映像信号を出力し、検出回路１６により映像出力端子Ｔ２に出力された映像信号の入力の有無を検出して、映像出力端子Ｔ２に接続ケーブルが接続されているか否かを判別する。映像出力端子Ｔ２は、映像出力端子Ｔ２に接続ケーブルが接続されていない場合、映像出力端子Ｔ２の接点Ｔ２ａが接点Ｔ２ｂに当接して、映像出力端子Ｔ２に出力された映像信号が接点Ｔ２ｂに入力され、検出回路１６により映像信号の入力有が検出されるようになっている（図１参照）。また、映像出力端子Ｔ２は、映像出力端子Ｔ２に接続ケーブルが接続されている場合、映像出力端子Ｔ２に差し込まれた接続ケーブルのプラグ（図示せず）により映像出力端子Ｔ２の接点Ｔ２ａが接点Ｔ２ｂから離間して、映像出力端子Ｔ２に出力された映像信号が接点Ｔ２ｂに入力されず、検出回路１６により映像信号の入力無が検出されるようになっている（図１参照）。
【００１８】図２（ａ）に示すように、ビデオ装置１０の映像出力端子Ｔ２に接続ケーブルＣ１が接続され、接続ケーブルＣ１によりビデオ装置１０の映像出力端子Ｔ２とテレビ装置３０の映像入力端子Ｔ４とが接続されている場合、ビデオ装置１０の映像出力端子Ｔ２の接点Ｔ２ａが接点Ｔ２ｂから離間していて（図１参照）、映像出力端子Ｔ２に出力された映像信号（図３参照）が接点Ｔ２ｂに入力されず、検出回路１６により映像信号の無が検出される。検出回路１６により映像出力端子Ｔ２からの映像信号の入力無が検出されると、マイコン１７は、映像出力端子Ｔ２に接続ケーブルＣ１が接続されていると判別して、ＲＦコンバータ１５に制御信号を送出してＲＦコンバータ１５をＯＦＦにし、ライン信号の映像音声信号を映像出力端子Ｔ２と左右チャンネルの音声出力端子（図示せず）とから出力するようにする。なお、ビデオ装置１０の映像出力端子Ｔ２とテレビ装置３０の映像入力端子Ｔ４とが接続ケーブルにより接続されている場合、ビデオ装置１０の左右チャンネルの音声出力端子とテレビ装置３０の左右チャンネルの音声入力端子とがそれぞれ接続ケーブルにより接続されているが図示省略している。
【００１９】また、図２（ｂ）に示すように、ビデオ装置１０の映像出力端子Ｔ２に接続ケーブルが接続されず、ビデオ装置１０のＲＦ出力端子Ｔ１に接続ケーブルＣ２が接続され、接続ケーブルＣ１によりビデオ装置１０のＲＦ出力端子Ｔ１とテレビ装置３０のアンテナ入力端子Ｔ３とが接続されている場合、ビデオ装置１０の映像出力端子Ｔ２の接点Ｔ２ａが接点Ｔ２ｂに当接していて（図１参照）、映像出力端子Ｔ２に出力された映像信号（図３参照）が接点Ｔ２ｂに入力され、検出回路１６により映像信号の有が検出される。検出回路１６により映像出力端子Ｔ２からの映像信号の入力有が検出されると、マイコン１７は、映像出力端子Ｔ２に接続ケーブルが接続されていないと判別して、切換スイッチ１４をＲＦコンバータ側ｂに切り換え、ＲＦコンバータ１５に制御信号を送出してＲＦコンバータ１５をＯＮにして、映像音声信号を所定のテレビ放送チャンネルのＲＦ信号に変換し、ＲＦ信号の映像音声信号をＲＦ出力端子Ｔ１から出力するようにする。
【００２０】リモコン装置２０のキー操作により磁気テープの再生を指令する赤外線信号のリモコン信号がリモコン装置２０から送信されると、リモコン装置２０から送信された赤外線信号のリモコン信号がリモコン受信部１８により受信され、所定の電気信号に変換されてマイコン１７に送出される。マイコン１７は、磁気テープの再生を指令するリモコン信号を受信すると、記録再生部１３に制御信号を送出して磁気テープを再生し、接続ケーブルＣ１が映像出力端子Ｔ２に接続されている場合、再生された映像音声信号を映像出力端子Ｔ２と左右チャンネルの音声出力端子（図示せず）とからテレビ装置３０に出力し、接続ケーブルが映像出力端子Ｔ２に接続されていない場合、即ち接続ケーブルＣ２がＲＦ出力端子Ｔ１に接続されている場合、再生された映像音声信号をＲＦ出力端子Ｔ１からテレビ装置３０に出力する。
【００２１】また、図４は本考案の実施の形態に係るビデオ装置の動作を示すフローチャートを基に説明する。
【００２２】ビデオ装置の電源がＯＮにされると、ステップＳ１からステップＳ２に進み、ステップＳ２で切換スイッチがライン信号の映像信号を出力する映像出力端子側に切り換えられて、映像出力端子に映像信号が出力され、ステップＳ３に進む。
【００２３】ステップＳ３で、映像出力端子に出力された映像信号の入力有が検出回路により検出されたか否かが判断され、映像出力端子に出力された映像信号の入力有が検出回路により検出されない場合、映像出力端子に接続ケーブルが接続されていると判断されて、ステップＳ４に進み、映像出力端子に出力された映像信号の入力有が検出回路により検出された場合、映像出力端子に接続ケーブルが接続されていないと判断されて、ステップＳ５に進む。
【００２４】ステップＳ４で、ＲＦコンバータがＯＦＦにされ、ライン信号の映像音声信号が映像／音声出力端子から出力されるようにして、ステップＳ６に進む。
【００２５】ステップＳ５で、切換スイッチがＲＦコンバータ側に切り換えられて、ＲＦコンバータがＯＮにされ、所定のテレビ放送チャンネルのＲＦ信号に変換されたＲＦ信号の映像音声信号がＲＦ出力端子から出力されるようにして、ステップＳ６に進む。
【００２６】ステップＳ６で、リモコン装置のキー操作により磁気テープの再生が指令されたか否かが判断され、磁気テープの再生が指令された場合、ステップＳ７に進み、磁気テープの再生が指令されていない場合、ステップＳ８に進んで処理を終了する。
【００２７】ステップＳ７で、磁気テープが再生され、接続ケーブルが映像出力端子に接続されている場合、再生された映像音声信号が映像出力端子と左右チャンネルの音声出力端子とから出力され、接続ケーブルが映像出力端子に接続されていない場合、即ち接続ケーブルがＲＦ出力端子に接続されている場合、再生された映像音声信号が所定のテレビ放送チャンネルのＲＦ信号に変換されてＲＦ出力端子から出力され、ステップＳ８に進んで処理を終了する。
【００２８】以上、本考案の実施の形態について詳述したが、本考案はこれに限らず、当業者の通常の知識の範囲内でその変形や改良が可能である。例えば、映像出力端子に映像信号を出力し、映像出力端子に出力された映像信号の入力の有無を検出して、映像出力端子の接続ケーブルの接続状態を判別することを説明したが、映像出力端子に所定の直流信号、或いはパルス信号を出力し、その信号の入力の有無を検出して、映像出力端子の接続ケーブルの接続状態を判別するようにしてもよい。
【００２９】
【考案の効果】以上説明してきたように、本考案によるビデオ装置によれば、ビデオ装置の電源がＯＮにされたとき、切換スイッチをライン信号の映像音声信号を出力する映像／音声出力端子側に切り換えて、映像／音声出力端子の映像出力端子に映像信号を出力して、映像出力端子からの映像信号の入力の有無を検出し、その検出結果に基づいて映像／音声出力端子に接続ケーブルが接続されているか否かを判別して、映像／音声出力端子に接続ケーブルが接続されている場合、ＲＦコンバータをＯＦＦにして、ライン信号の映像音声信号を映像／音声出力端子から出力することができ、映像／音声出力端子に接続ケーブルが接続されていない場合、切換スイッチをＲＦコンバータ側に切り換えて、ＲＦコンバータをＯＮにし、映像音声信号を所定のテレビ放送チャンネルのＲＦ信号に変換して、ＲＦ信号の映像音声信号をＲＦ出力端子から出力することができる。このことにより、ビデオ装置の電源がＯＮにされたとき、ビデオ装置とテレビ装置との接続ケーブルの接続状態を判別して、ビデオ装置の映像音声信号の出力を接続ケーブルが接続された、ライン信号の映像音声信号を出力する映像／音声出力端子からの出力、或いはＲＦ信号の映像音声信号を出力するＲＦ出力端子からの出力に自動的に切り換えることができる。
【００３０】請求項１記載の考案に係るビデオ装置は、ビデオ装置の電源がＯＮにされたとき、映像／音声出力端子の映像出力端子に映像信号を出力して、映像出力端子からの映像信号の入力の有無を検出し、その検出結果に基づいて映像／音声出力端子に接続ケーブルが接続されているか否かを判別して、映像／音声出力端子に接続ケーブルが接続されている場合、ＲＦコンバータをＯＦＦにして、ライン信号の映像音声信号の出力に切り換え、映像／音声出力端子に接続ケーブルが接続されていない場合、ＲＦコンバータをＯＮにして、ＲＦ信号の映像音声信号の出力に切り換えるようにしている。
【００３１】請求項２記載の考案に係るビデオ装置は、ビデオ装置の電源がＯＮにされたとき、映像／音声出力端子の映像出力端子に映像信号を出力して、映像出力端子からの映像信号の入力の有無を検出し、その検出結果に基づいて映像／音声出力端子に接続ケーブルが接続されているか否かを判別し、その判別結果に基づいてライン信号の映像音声信号の出力とＲＦ信号の映像音声信号の出力とを切り換えるようにしている。
【００３２】請求項３記載の考案に係るビデオ装置は、映像／音声出力端子に接続ケーブルが接続されている場合、ＲＦコンバータをＯＦＦにして、ライン信号の映像音声信号の出力に切り換えるようにしている。
【００３３】請求項４記載の考案に係るビデオ装置は、映像／音声出力端子に接続ケーブルが接続されていない場合、ＲＦコンバータをＯＮにして、ＲＦ信号の映像音声信号の出力に切り換えるようにしている。
【図面の簡単な説明】
【図１】本考案の実施の形態に係るビデオ装置の構成を示すブロック図である。
【図２】本考案の実施の形態に係るビデオ装置とテレビ装置との接続状態を示す説明図である。
【図３】本考案の実施の形態に係るビデオ装置の映像信号を示す図である。
【図４】本考案の実施の形態に係るビデオ装置の動作を示すフローチャートである。
【符号の説明】
１０　ビデオ装置
１１　チューナ
１２　検波増幅回路
１３　記録再生部
１４　切換スイッチ
１５　ＲＦコンバータ
１６　検出回路
１７　マイコン
１８　リモコン受信部
１９　アンテナ
２０　リモコン装置
３０　テレビ装置
Ｔ１　ＲＦ出力端子
Ｔ２　映像出力端子
Ｔ２ａ、Ｔ２ｂ　接点
Ｔ３　アンテナ入力端子
Ｔ４　映像入力端子
Ｃ１、Ｃ２　接続ケーブル
【図１】
0003097218.tif 000003
【図２】
0003097218.tif 000004
【図３】
0003097218.tif 000005
【図４】
0003097218.tif 000006